(57)【要約】【課題】      東屋、パーゴラ、フェンス等の施設構造物を、簡単な作業で、屋上等に固定することができる施設構造物の固定方法を提供する。【解決手段】  屋上の床面床面１にベース部材１０が設置されている。ベース部材１０の上面には、デッキ部材２０が載置されるとともに、デッキ部材２０の内側において４個の錘ユニット３０が組み合わされた状態で載置されている。東屋４０の支柱４１が、ベース部材１０に固着されるとともに、４個の錘ユニット３０で周囲を囲繞された状態で設置されている。錘ユニット３０は柱用切欠け３４が形成され、４個の錘ユニット３０を組み合わせた際、円筒状の支柱孔３５となる。支柱孔３５に支柱４１が挿通されている。支柱４１の下端の取付け板４３がベース部材１０の取付け板１４にボルト４５で固着されている。【選択図】        図７
2005299247.tif 000002
【特許請求の範囲】
【請求項１】
施設構造物の支柱に複数個の錘ユニットを連結し、施設構造物を固定したことを特徴とする施設構造物の固定方法。
【請求項２】
施設構造物が支柱の上端に屋根体を設けた日除け構築物であって、錘ユニットが支柱の周囲に沿って配置されるとともに、その上面が座面となっていることを特徴とする請求項１に記載の施設構造物の固定方法。
【請求項３】
施設構造物が支柱の上端に屋根体を設けた日除け構築物であって、錘ユニットに支柱が挿通可能な挿通孔を形成し、錘ユニットの挿通孔に支柱を挿通し、かつ支柱の上下方向に沿って錘ユニットを積重ねたことを特徴とする請求項１に記載の施設構造物の固定方法。
【請求項４】
施設構造物と錘ユニットがベース部材の上面に載置され、ベース部材により支柱付近に集中する荷重を分散したことを特徴とする請求項２又は３に記載の施設構造物の固定方法。
【請求項５】
施設構造物が支柱にパネル体を取付けたフェンスであって、錘ユニットは支柱の下端両側部に取付けられ、支柱に対して錘ユニットの角度調整可能であることを特徴とする請求項１に記載の施設構造物の固定方法。
【請求項６】
錘ユニットの側方に向けて他の錘ユニットを連結可能としたことを特徴とする請求項５に記載の施設構造物の固定方法。
【発明の詳細な説明】
【技術分野】
【０００１】
本発明は、東屋、パーゴラ、フェンス等の施設構造物の固定方法に関し、さらに詳しくは、施設構造物を屋上に設置する際に好適な施設構造物の固定方法に関するものである。
【背景技術】
【０００２】
近年、都市部におけるヒートアイランド現象の緩和、二酸化酸素の削減、省エネルギー実現のために、屋上緑化が行なわれるようになって来た。屋上緑化は、オフィスビル等の屋上の空きスペースを利用し、樹木、草花、芝生等を植栽した庭園を造園することにより屋上を緑化するものである。そして、このような屋上緑化に伴い、庭園内に東屋、パーゴラ等の施設構造物が設置されるようになって来た。
【０００３】
従来、東屋、パーゴラ等を設置するには、通常、地盤に打設したフーチングに支柱を固定することにより行なっている。しかしながら、屋上においてはフーチングを打設することができないので、東屋等を設置することが困難であった。なお、予めフーチングと同様の機能を有する錘を形成し、この錘を屋上に設置するとともに、錘に支柱を固定する方法が考えられる。しかしながら、従来、このような屋上に東屋等を設置する際に好適な錘に関しては何ら提案されていなかった。
【０００４】
なお、工事現場等の移動柵に用いる錘に関しては移動柵のベースウェイトが提案されており、この移動柵のベースウェイトは、股開き角度が調節可能にヒンジ連結され、かつ、内部には水や砂を充填可能な一対の中空ブロック片から構成されている（特許文献１参照）。
【０００５】
また、工事現場等のバリケードに用いる錘に関してはバリケード用安定ウェイトが提案されており、このバリケード用安定ウェイトは、バリケードのスタンド杆に略水平に架設されるアンダーポールに跨戴するブロック体であって、このブロック対の接地面側に形成された股スリットをアンダーポールに差し入れ、当該アンダーポールの差し入れ完了位置において当該ブロック体を水平にひねりまわして前記差し入れたアンダーポールを前記股スリットの側方に連続する掛止凹部に嵌合せしめ、同アンダーポールの下縁側を嵌合支持することによって、アンダーポールに跨戴されてバリケードを安定ならしめている（特許文献２参照）。
【０００６】
【特許文献１】特開平０９−２４２０３０号公報
【特許文献２】特開２００２−２９４６４６号公報
【発明の開示】
【発明が解決しようとする課題】
【０００７】
以上のように、従来、屋上に東屋等を設置する際に用いる好適な錘が要望されていたにも拘わらず、何ら提案されていなかった。また、建築物の屋上広場における積載荷重の計算は、建築基準法施行令第８５条で規定されており、百貨店の用途に供する建築物においては、地震力を計算する場合、１３００Ｎ／ｍ２によって計算することが出来る旨規定されている。すなわち、百貨店に供する建築物の屋上における積載荷重は、その上限が１３００Ｎ／ｍ２であり、この基準を満足する必要がある。
【０００８】
なお、上述した特許文献１及び２で提案された錘に関する技術は、東屋等の支柱を固定する際には、適用することができないものである。
【０００９】
本発明は、以上の点に鑑みてなされたもので、簡単な作業で、東屋等の施設構造物を屋上に確実に固定することができる施設構造物の固定方法を提供することを目的とする。
【課題を解決するための手段】
【００１０】
本発明の施設構造物の固定方法は、施設構造物の支柱に複数個の錘ユニットを連結し、施設構造物を固定したことを特徴として構成されている。
【発明の効果】
【００１１】
本発明の施設構造物の固定方法においては、複数個の錘ユニットを連結し、全体として施設構造物を固定できるだけの重量を確保している。したがって、錘ユニットは、施設構造物を固定できるだけのの少なくとも１／２以下にすることができるので、運搬作業等を容易に行なえるものであり、特に、屋上等に施設構造物を設置する場合に好適である。
【発明を実施するための最良の形態】
【００１２】
本発明の施設構造物の固定方法は、施設構造物の支柱に複数個の錘ユニットを連結して固定している。本発明に適用できる施設構造物としては、東屋、パーゴラ等の日除構築物、フェンス等の各種施設構造物があり、また、錘ユニットの連結は、連結して支柱を固定できる態様であれば特に限定されず、施設構造物の支柱の態様により適宜好適な態様を選択することができる。例えば、支柱の態様としては、１本の態様、複数本を一列に並べた態様、複数本を格子状に配置した態様等があり、また、錘ユニットの連結の態様としては、支柱の周囲に沿って配置した態様、支柱の上下方向に沿って積重ねた態様、支柱の下端両側部に配置した態様等がある。また、錘ユニットは、コンクリート等で中実に形成しても、中空に形成し、空間部分に水、砂等を充填するようにしてもよい。中空に形成した場合は、運搬作業がより容易になるものである。
【００１３】
以上のような種々の態様において、施設構造物が支柱の上端に屋根体を設けた日除け構築物であって、錘ユニットが支柱の周囲に沿って配置されるとともに、その上面を座面とした構成にすることができる（請求項２）。このような構成とすることにより、日除け構築物を簡単に固定することができ、また、同時に錘ユニットをベンチとして利用することができる。
【００１４】
施設構造物が支柱の上端に屋根体を設けた日除け構築物であって、錘ユニットに支柱が挿通可能な挿通孔を形成し、錘ユニットの挿通孔に支柱を挿通し、かつ支柱の上下方向に沿って錘ユニットを積重ねた構成にすることができる（請求項３）。このような構成にすることにより、日除け構築物を簡単に固定することができ、また、日除け構築物の重量等に応じて錘ユニットの数を調整することができるので、必要最小限の重量とすることができる。
【００１５】
また、施設構造物と錘ユニットがベース部材の上面に載置され、ベース部材により支柱付近に集中する荷重を分散した構成とすることができる（請求項４）。このような構成にすることにより、施設構造物及び錘ユニットの荷重が分散され、設置面に作用する単位面積当りの荷重を軽減することができ、特に、屋上等の積載荷重が限定されている個所に好適である。
【００１６】
施設構造物が支柱にパネル体を取付けたフェンスであって、錘ユニットは支柱の下端両側部に取付けられ、支柱に対する錘ユニットの角度調整可能である構成とすることができる（請求項５）。このような構成にすることにより、施設構造物の設置面が傾斜している場合であっても、支柱を垂直に固定することができ、屋上等の水勾配が取られ水平面を確保できない個所に好適である。
【００１７】
前記支柱の下端両側部に取付けられた錘ユニットの側方に向けて他の錘ユニットを連結可能とした構成にすることができる（請求項６）。このような構成にすることにより、施設構造物の重量等に応じて錘ユニットの数を調整することができるので、必要最小限の重量とすることができる。
【００１８】
本発明による施設構造物の固定方法の第１実施形態を図面を参照して説明する。図１は施設構造物の固定方法を用いて固定した東屋の正面図、図２は同平面図、図３は施設構造物の固定方法に用いるベース部材の平面図、図４は施設構造物の固定方法に用いるデッキ部材の平面図、図５は施設構造物の固定方法に用いる錘ユニットを組み合わせた状態の正面図、図６は同平面図、図７は東屋の支柱とベース部材との固定状態を示す断面図である。
【００１９】
図１及び図２において、１は屋上の床面で、この床面１にベース部材１０が設置されており、このベース部材１０の上面には、デッキ部材２０が載置されるとともに、デッキ部材２０の内側において４個の錘ユニット３０が組み合わされた状態で載置されている。そして、施設構造物としての東屋（日除構築物）４０が、ベース部材１０に固着されるとともに、４個の錘ユニット３０で周囲を囲繞された状態で設置されている。
【００２０】
ベース部材１０は、図３及び図７に示すように、鋼板で形成された略正方形状の４つの皿状をした底板１１と、中央に設けられた円形状の底板１２とが設けられ、これらの底板１１及び底板１２の外周縁には、溝形鋼で形成された載置部１３が設けられ、底板１１及び底板１２の側板を載置部１３に溶接することにより一体に固着している。また、中央に位置する環状の載置部１３の上面には、東屋４０の支柱を取付けるための取付け板１４が溶接されており、この取付け板１４の周縁近傍には所定間隔でボルト孔１５が形成されている。
【００２１】
このようなベース部材１０の載置部１３の上面にデッキ部材２０が載置され、ボルト等（図示せず）により固着されている。デッキ部材２０は、図４に示すように、複数の木材２１を一体に固定したもので、その中央部には錘ユニット３０が入り込む貫通孔２２が形成されており、この貫通孔２２の径は、錘ユニット３０を組み合わせた際の径より若干大きく設定されている。
【００２２】
錘ユニット３０は、図５及び図６に示すように、上方から見た形状が、９０度の角度を持つ略扇形（１／４円状）に形成され、４個の錘ユニット３０を組み合わせた際、円形となるようになっている。この錘ユニット３０は、コンクリートで形成された基部３１と、基部３１の中心側に設けられた基部３１より短い径の突出部３２とが一体に形成されている。基部３１の径は、前記貫通孔２２の径より若干小さく形成されている。さらに、基部３１の上面には、複数の木材からなる座面部材３３が設けられている。
【００２３】
また、基部３１及び突出部３２の中心側端部は、東屋４０の支柱を挿通させるための支柱用切欠け３４が形成されている。この支柱用切欠け３４は１／４円状に形成されており、４個の錘ユニット３０を組み合わせた際、円筒状の支柱孔３５となるようになっている。さらに、突出部３２の上端内周縁には、支柱４１に固定するための取付け片３６が設けられ、また、基部３１の下端外周縁には、ベース部材１０に固定するための取付け片３７が設けられている。
【００２４】
東屋４０は、鋼管で形成された支柱４１と、支柱４１の上端に設けられた屋根体４２とからなり、支柱４１の径は、４個の錘ユニット３０で支柱用切欠け３４で形成される支柱孔３５の径より若干小さくなるように設定されている。支柱４１の下部は、図８に示すように、鋼板で形成された取付け板４３が溶接されるとともに、４枚のリブ４４が等間隔で溶接されている。そして、この取付け板４３をベース部材１０の取付け板１４に重ね合わせるとともに、リブ４４の下端面を取付け板１４に載置した状態でボルト４５をボルト孔１５に螺着し、支柱４１をベース部材１０に固着している。
【００２５】
また、錘ユニット３０は、デッキ部材２０の貫通孔２２に入り込んだ状態で支柱４１の周囲に配置されており、その底面はベース部材１０の載置部１３に載置されている。また、取付け片３６においてボルト３８で支柱４１に固定するとともに、取付け片３７においてボルト３９でベース部材１０の載置部１３に固定している。したがって、東屋４０及び錘ユニット３０による荷重は、載置部１３を介して底板１１全面に分散されている。また、錘ユニット３０は貫通孔２２に嵌合しているので、水平方向の移動が規制され、支柱用切欠け３４が形成する支柱孔３５の形状を維持するので、挿通された支柱４１が傾くことなく垂直状態を維持している。
【００２６】
本発明による施設構造物の固定方法の第２実施形態を図面を参照して説明する。図８は施設構造物の固定方法を用いて固定したのパーゴラの正面図、図９は同平面図、図１０は同側面図、図１１は施設構造物の固定方法に用いるベース部材の平面図、図１２は施設構造物の固定方法に用いるデッキ部材の平面図、図１３は施設構造物の固定方法に用いる錘ユニットの正面図、図１４は同平面図、図１５は図１４中Ａ−Ａ線断面図、図１６はベース部材にパーゴラの支柱を固着した部分を示す一部を切欠いた正面図、図１７は同じく一部を切欠いた平面図である。
【００２７】
図８、図９及び図１０において、１は屋上の床面で、この床面１にベース部材５０が設置されており、このベース部材５０の上面には、デッキ部材６０が載置されるとともに、デッキ部材６０の内側において多数のの錘ユニット７０が積重ねられた状態で載置されている。そして、施設構造物としてのパーゴラ（日除構築物）８０が、支柱８１がベース部材５０に固着されるとともに、多数の錘ユニット７０で周囲を囲繞された状態で設置されている。
【００２８】
ベース部材５０は、図１１及に示すように、鋼板で形成された長方形状の６つの皿状をした底板５１と、底板５１の外周縁に形成された溝形鋼からなる載置部５２とが設けられている。ベース部材５０の各載置部５２には、鋼板で形成された取付け板５３が溶接されており、この取付け板５３には、ボルトが螺着するボルト孔５４が形成されている。
【００２９】
このようなベース部材５０の載置部５２の上面にデッキ部材６０が載置され、ボルト等（図示せず）により固着されている。デッキ部材６０は、図１２に示すように、複数の木材６１を一体に固定したもので、その各隅角部に錘ユニット７０が入り込む貫通孔６２が形成されている。
【００３０】
錘ユニット７０は、図１３、１４及び１５に示すように、基部７１と、基部７０から上方へ行くに従って円弧状に窄まった突出部７２とがコンクリートにより一体に形成され、中央部には支柱を挿通させるための上下に貫通する挿通孔７３が穿設されている。また、基部７１の下面には、上方に窪んだ段部７４が形成されており、この段部７４は、前記突出部７２の上端面が嵌合できる寸法・形状になっている。したがって、錘ユニット７０を積重ねた際、上下に重なり合う錘ユニット７０の位置がずれないものであり、また、積重ねた錘ユニット７０間に間隙ができるものである。
【００３１】
パーゴラ８０は、アルミニウム押出形材で形成された角筒状の４本の支柱８１と、この支柱８１で支えられた屋根体８２とからなっている。支柱８１の対向する両面には化粧板８３が設けられており、また、化粧板８３が設けられていない側の対向する両面の下部には、ボルトを挿通させる貫通孔８４が形成されている。支柱８１の下部には、断面「コ」字状の支持支柱８５が挿入されボルト８６を支持支柱８５に形成したボルト孔（図示せず）に螺着させることにより固着している。支持支柱８５の下端には取付け板８８が溶接されており、この取付け板８８はベース部材５０の取付け板５３と略同一形状に形成されており、隅角部近傍にボルトを挿通させる貫通孔８９が形成されている。そして、取付け板８８を取付け板５３に重ね合わせ、ボルト５４をボルト孔５４に螺着させることにより、取付け板８８及び支持支柱８５を介して支柱８１をベース部材５０に固着している。
【００３２】
また、錘ユニット７０は、支柱８１を挿通させた状態で多数積重ねられている。すなわち、下側の錘ユニット７０の突出部７２に、上側の錘ユニット７０の段部７４を外嵌することにより安定的に積重ねることができ、また、上下の基部７１間に間隙７５を持たせているので、積重ねる際、錘ユニット７０間に指を挟むことが無く安全である。なお、この間隙７５には、図１０に示すように、ベンチ部材７６を挿入してベンチとして使用する。
【００３３】
最下段の錘ユニット７０はデッキ部材６０の貫通孔６２に入り込むとともに、ベース部材５０の載置部５２に載置されている。したがって、パーゴラ８０及び錘ユニット７０による荷重は、載置部５２を介して底板５１全面に分散される。また、デッキ部材６０により水平方向の移動が規制されているので、錘ユニット７０がベース部材５０からずれることがない。
【００３４】
なお、前記第１実施形態及び第２実施形態において、底板１１、５１に砂等を充填することができる。底板１１、５１に砂等を充填することにより、ベース部材１０、５０の重量を調整でき、支柱８１をより安定して固定することができる。
【００３５】
本発明による施設構造物の固定方法の第３実施形態を図面を参照して説明する。図１８は施設構造物の固定方法を用いて固定したのフェンスの正面図、図１９は同平面図、図２０は同側面図、図２１は施設構造物の固定方法に用いるベース錘ユニットを示す図、図２２は施設構造物の固定方法に用いる追加錘ユニットを示す図、図２３はベース錘ユニットを傾斜した床面に設置した状態を示す図である。
【００３６】
図１８、図１９及び図２０において、１は屋上の床面で、この床面１にベース錘ユニット９０及び追加錘ユニット１００が並べて設置されるとともに、ベース錘ユニット９０に施設構造物としてのフェンス１１０が固定されている。
【００３７】
ベース錘ユニット９０は、図２１に示すように、内面９１にフェンス１１０の支柱を挿通させる支柱溝９２が形成されており、この支柱溝９２は上端から下端に行くに従って幅広となるように形成されている。また、支柱溝９２には２つのボルトを挿通させる上側貫通孔９３及び下側貫通孔９４が形成されており、上側貫通孔９３は通常の円形に形成され、下側貫通孔９４は横方向に長い長円に形成されている。また、ベース錘ユニット９０の両側端近傍には、ボルトを挿通させる貫通孔９５が形成されている。
【００３８】
前記追加錘ユニット１００は、図２２に示すように、ベース錘ユニット９０と略同一形状に形成されており、その両側端近傍には、前記ベース錘ユニット９０の貫通孔９５と対応する位置に、ボルトを挿通させる貫通孔１０１が形成されている。
【００３９】
前記フェンス１１０は、複数の支柱１１１と、この支柱１１１に取付けられたパネル体１１２とからなり、支柱１１１の下部には、前記上側貫通孔９３と下側貫通孔９４に対応する位置に、ボルトを挿通させる上側貫通孔１１３と下側貫通孔１１４が形成されている。このようなフェンス１１０は、支柱１１１をベース錘ユニット９０に固定することにより、床面１に固定している。すなわち、一対のベース錘ユニット９０を、互いの内面９１が当接するように隣接して設置する。すると、両ベース錘ユニット９０の支柱溝９２が対向して支柱孔９６が形成され、この支柱孔９６に支柱１１１を挿入し、両ベース錘ユニット９０の上側貫通孔９３及び支柱１１１の上側貫通孔１１３を介してボルト（図示せず）とナット（図示せず）で固定するとともに、前記同様に下側貫通孔９４及び下側貫通孔１１４を介してボルト（図示せず）とナット（図示せず）で固定している。
【００４０】
また、追加錘ユニット１００は、必要に応じて所定数設けるもので、ベース錘ユニット９０の側面に隣接して設け、追加錘ユニット１００の貫通孔１０１及びベース錘ユニット９０の貫通孔９５を介してボルトとナットで固定している。
【００４１】
次に、水勾配等により床面が傾斜している場合のフェンスの固定方法について、図２３を参照して説明する。
【００４２】
図２３において、床面１は、水平面ｈに対し角度α傾斜している。ベース錘ユニット９０は、このように傾斜した床面１に設置されるが、支柱溝９２は、上端から下端に行くに従って幅広となっているので、支柱１１１を垂直に挿入できるだけの空間を確保でき、支柱１１１を床面１まで垂直状態で挿入することができる。また、このとき、支柱１１１は支柱溝９２の中心からずれることとなるが、下側貫通孔９４は長円状に形成されているので、下側貫通孔９４の側端部の空間が、支柱１１１の下側貫通孔１１４に対応している。したがって、ボルトを下側貫通孔９４及び下側貫通孔１１４を介して挿通でき、支柱１１１を垂直状態でベース錘ユニット９０に固定することができる。
【図面の簡単な説明】
【００４３】
【図１】本発明による施設構造物の固定方法を用いて固定した東屋の正面図
【図２】本発明による施設構造物の固定方法を用いて固定した東屋の平面図
【図３】本発明による施設構造物の固定方法に用いるベース部材の平面図
【図４】本発明による施設構造物の固定方法に用いるデッキ部材の平面図
【図５】本発明による施設構造物の固定方法に用いる錘ユニットを組み合わせた状態の正面図
【図６】本発明による施設構造物の固定方法に用いる錘ユニットを組み合わせた状態の平面図
【図７】本発明による施設構造物の固定方法東屋の支柱とベース部材との固定状態を示す断面図
【図８】本発明による施設構造物の固定方法を用いて固定したのパーゴラの正面図
【図９】本発明による施設構造物の固定方法を用いて固定したのパーゴラの平面図
【図１０】本発明による施設構造物の固定方法を用いて固定したのパーゴラの側面図
【図１１】本発明による施設構造物の固定方法に用いるベース部材の平面図
【図１２】本発明による施設構造物の固定方法に用いるデッキ部材の平面図
【図１３】本発明による施設構造物の固定方法に用いる錘ユニットの正面図
【図１４】本発明による施設構造物の固定方法に用いる錘ユニットの平面図
【図１５】図１４中Ａ−Ａ線断面図
【図１６】本発明による施設構造物の固定方法のベース部材にパーゴラの支柱を固着した部分を示す一部を切欠いた正面図
【図１７】本発明による施設構造物の固定方法のベース部材にパーゴラの支柱を固着した部分を示す一部を切欠いた平面図
【図１８】本発明による施設構造物の固定方法を用いて固定したフェンスの正面図
【図１９】本発明による施設構造物の固定方法を用いて固定したフェンスの平面図
【図２０】本発明による施設構造物の固定方法を用いて固定したフェンスの側面図
【図２１】本発明による施設構造物の固定方法に用いるベース錘ユニットを示した図
【図２２】本発明による施設構造物の固定方法に用いる追加錘ユニットを示した図
【図２３】本発明による施設構造物の固定方法のベース錘ユニットを傾斜した床面に設置した状態を示す側面図
【符号の説明】
【００４４】
１    床面
１０  ベース部材
２０  デッキ部材
３０  錘ユニット
４０  東屋
４１  支柱
５０  ベース部材
６０  デッキ部材
７０  錘ユニット
８０  パーゴラ
８１  支柱
９０  ベース錘ユニット
１００  追加錘ユニット
１１０  フェンス
１１１  支柱
【図１】
2005299247.tif 000003
【図２】
2005299247.tif 000004
【図３】
2005299247.tif 000005
【図４】
2005299247.tif 000006
【図５】
2005299247.tif 000007
【図６】
2005299247.tif 000008
【図７】
2005299247.tif 000009
【図８】
2005299247.tif 000010
【図９】
2005299247.tif 000011
【図１０】
2005299247.tif 000012
【図１１】
2005299247.tif 000013
【図１２】
2005299247.tif 000014
【図１３】
2005299247.tif 000015
【図１４】
2005299247.tif 000016
【図１５】
2005299247.tif 000017
【図１６】
2005299247.tif 000018
【図１７】
2005299247.tif 000019
【図１８】
2005299247.tif 000020
【図１９】
2005299247.tif 000021
【図２０】
2005299247.tif 000022
【図２１】
2005299247.tif 000023
【図２２】
2005299247.tif 000024
【図２３】
2005299247.tif 000025